(57)【要約】  電池ユニットを小型にして車両搭載スペースを省スペース化できる電池ユニットを提供する。電池ユニット２０は、互いに並列接続された複数の電池セルをそれぞれ含み、各々電池セルから噴出したガスを排気するダクト室をそれぞれ有する複数の電池モジュール２２と、複数の電池モジュール２２を一体的に組み合わせた状態で収納ケースの壁部に固定する固定部材２４とを備える。固定部材２４は、モジュールケース５０に取り付けられる取付部３４を有し、取付部３４は各電池モジュール２２のダクト室に噴出したガスを集合させて排気するための排気ダクト部３２を含む。
2015019559.tif 000002
【特許請求の範囲】
【請求項１】
互いに並列接続された複数の電池セルをそれぞれ含み、各々電池セルから噴出したガスを排気するダクト室をそれぞれ有する複数の電池モジュールと、
前記複数の電池モジュールを一体的に組み合わせた状態で収納ケースの壁部に固定する固定部材と、を備える電池ユニットであって、
前記固定部材は前記収納ケースに取り付けられる第１取付部を有し、該第１取付部は各電池モジュールのダクト室に噴出したガスを集合させて排気するための排気ダクトを含む、
電池ユニット。
【請求項２】
請求項１に記載の電池ユニットにおいて、
前記排気ダクトを含む前記第１取付部は、ダクト出口が形成される先端部にフランジ部を有しており、該フランジ部が前記収納ケースの壁部に取り付けられる、電池ユニット。
【請求項３】
請求項１または２に記載の電池ユニットにおいて、
前記固定部材は前記電池ユニットを前記収納ケースに固定するための第２取付部を更に有し、前記固定部材は伝熱性が良好な材料で形成されている、電池ユニット。
【請求項４】
請求項１〜３のいずれか一項に記載の電池ユニットにおいて、
前記ダクト室は開口部を有しており、前記固定部材は前記開口部を覆うように前記複数の電池モジュールに跨って連結されている、電池ユニット。
【請求項５】
請求項１〜４のいずれか一項に記載の電池ユニットにおいて、
前記電池モジュールに含まれる前記電池セルの充放電を制御するための電装部品を収納した電装部品収納ケースが前記固定部材の上に隙間を介して固定されることを特徴とする、電池ユニット。
【発明の詳細な説明】
【技術分野】
【０００１】
本発明は、例えば電動車両等の移動体に搭載される電池ユニットに関する。
【背景技術】
【０００２】
従来、例えば特許文献１には、車両用の電源装置が開示されている。この電源装置は、安全弁を備える複数の素電池からなる電池ブロックと、この電池ブロックを構成する素電池の安全弁の開口部に連結されて、開弁する安全弁からの排出物を排出する排気ダクトと、電池ブロックに接続されて素電池の充放電を制御する制御機器とを備える。電池ブロックは、安全弁の開口部を同一面に位置するように素電池を配列している。また、電源装置は、安全弁の開口部が位置する電池ブロックの安全弁開口面と対向して制御機器を配設している。さらに、電源装置は、この制御機器と安全弁開口面との間に排気ダクトを配置して、排気ダクトでもって、電池ブロックと制御機器とを断熱している。そして、特許文献１には、このような電源装置によれば、外形を小さくして電池ブロックの出力を大きくしながら、制御機器を電池ブロックの熱から断熱して配置することができると述べられている。
【先行技術文献】
【特許文献】
【０００３】
【特許文献１】特開２００９−２３８６４４号公報
【発明の概要】
【発明が解決しようとする課題】
【０００４】
上記特許文献１に記載の車両用の電源装置は、フレーム構造体によって車両を構成するシャーシフレームに固定されている。しかしながら、電源装置の排気ダクトと電源装置の車両への取付構造とが別の構造として設けられている点で更なる小型化のための工夫の余地がある。
【課題を解決するための手段】
【０００５】
本発明に係る電池ユニットは、互いに並列接続された複数の電池セルをそれぞれ含み、各々電池セルから噴出したガスを排気するダクト室をそれぞれ有する複数の電池モジュールと、複数の電池モジュールを一体的に組み合わせた状態で収納ケースの壁部に固定する固定部材と、を備える電池ユニットであって、固定部材は収納ケースに取り付けられる第１取付部を有し、該第１取付部は各電池モジュールのダクト室に噴出したガスを集合させて排気するための排気ダクトを含むものである。
【発明の効果】
【０００６】
本発明に係る電池ユニットによれば、複数の電池モジュールを備える電池ユニットを収納ケースの壁部に固定する固定部材に、複数の電池モジュールの固定機能と電池セルから噴出したガスの排気機能とを持たせることで、これらの機能を別々の構造体で実現する場合に比べて、電池ユニットを小型にでき、その結果、搭載スペースが限られる車両に搭載されたときの省スペース化を図ることができる。
【図面の簡単な説明】
【０００７】
【図１】電池ユニットの全体を示す斜視図である。
【図２】図１の電池ユニットの分解斜視図である。
【図３】図１の電池ユニットがモジュールケース内に収納および固定された状態を示す一部断面を含む側面図である。
【図４】電池ユニットを構成する電池ブロックの斜視図である。
【図５】図１中におけるＡ−Ａ断面図である。
【図６】電池ユニットのダクト室におけるガスの流れを示す電池ユニットの概略的な平面図である。
【図７】電池ユニットを二段に重ねて配置したときのダクト接続部材を示す側面図である。
【発明を実施するための形態】
【０００８】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【０００９】
図１は、本発明の一実施形態である電池ユニット２０の全体を示し斜視図である。図２は、図１の電池ユニット２０の分解斜視図である。また、図３は、図１の電池ユニット２０がモジュールケース（収納ケース）５０内に収納および固定された状態を示す一部断面を含む側面図である。図１および図２では互いに直交する３軸方向として、高さ方向Ｈ、長さ方向Ｌ、幅方向Ｗが示されている。高さ方向Ｈは、電池ユニット２０が水平面上に設置されたときの上下方向または鉛直方向である。また、長さ方向Ｌおよび幅方向Ｗは水平面内で互いに直交する方向であるが、ここでは電池ユニット２０に含まれる電池モジュール２２の寸法が長い方を長さ方向Ｌ、短い方を幅方向Ｗとした。以下の図においても同様である。
【００１０】
図１および図２を参照すると、電池ユニット２０は、複数の電池モジュール２２と、固定部材２４と、電装部品収納ケース２６とを備える。本実施形態では、５つの電池モジュール２２が整列配置された状態で一体に組み合わされて電池ユニット２０を構成している。なお、電池ユニット２０を構成する電池モジュール２２の数は、上記のような５つに限定されるものではなく、電池ユニット２０に要求される出力や容量に応じて適宜変更されるものである。
【００１１】
各電池モジュール２２は、電池ユニット２０を構成する電池の最小単位である電池セル２（図４参照）を複数並列に接続してなる電池ブロック１（図４参照）を複数個直列または並列に接続して構成される。本実施形態では、例えば２つの電池ブロック１が直列に接続されて電池モジュール２２が構成されている。ただし、電池モジュール２２に含まれる電池ブロック１の数は、電池ユニット２０に要求される出力や容量に応じて適宜に変更可能であり、３つ以上であってもよい。
【００１２】
ここで、図４及び図５を参照して、電池ブロック１の構成について説明する。図４は、電池ユニット２０を構成する複数の電池モジュール２２にそれぞれ含まれる電池ブロック１を示す斜視図である。また、図５は、電池ユニット２０を構成する１つの電池モジュール２２の図１中のＡ−Ａ線断面図である。
【００１３】
本実施形態における電池ユニット２０の各電池モジュール２２は、上述したように図４に示す電池ブロック１が２つ直列に接続されたものを含む。電池ブロック１は、複数の電池セル２を並列接続して所定の容量を得るようにしたものである。ここでは、２０個の電池セル２を用いた例が示される。電池ブロック１は、２０個の電池セル２について各正極側を一方側に揃え各負極側を他方側に揃えて所定の配置関係で整列配置し、電池セルケース３に収納して保持し、正極側に正極側集電部４を配置し、負極側に負極側集電部５を配置し、ホルダ６，７を介して適当な締結部材等で正極側集電部４と負極側集電部５を締結したものである。
【００１４】
電池セル２は、電池ユニット２０を構成する電池の最小単位となる充放電可能な二次電池である。二次電池としては、リチウムイオン電池が用いられる。これ以外に、ニッケル水素電池、アルカリ電池等を用いてもよい。電池ブロック１に含まれる２０個の電池セル２は、隣接する電池の間の隙間を最小にする千鳥型の配置関係とされ、幅方向Ｗに３列の電池列が配置され、それぞれの電池列は、長さ方向Ｌに沿って、７個、６個、７個の電池セル２が配置されている。
【００１５】
電池セル２は、円筒形の外形を有する。円筒形の両端部のうち一方端が正極端子、他方端が負極端子として用いられる。本実施形態では、図５に示す電池セル２の上端に正極端子が設けられ、下端に負極端子が設けられている。電池セル２の一例を挙げると、それぞれは、直径が１８ｍｍ、高さが６５ｍｍ、端子間電圧が３．６Ｖ、容量が２．５Ａｈのリチウムイオン電池である。これは説明のための例示であって、これ以外の寸法、特性値であってもよい。なお、電池セル２は円筒形の電池に限らず、他の外形を有する電池、例えば角形電池であってもよい。
【００１６】
電池セル２は、正極端子側に安全弁１３を有する。安全弁１３は、電池セル２の内部で行われる電気化学反応によって発生するガスの圧力が予め定めた閾値圧力を超えたときに、電池内部から内部に排ガスとして放出する機能を有する。
【００１７】
電池セルケース３は、２０個の電池セル２を所定の配置関係で整列配置して保持する保持容器である。電池セルケース３は、電池セル２の高さと同じ高さを有し、高さ方向Ｈの両端側がそれぞれ開口する２０個の貫通孔形状の電池収納部が設けられる枠体で、それぞれの電池セル２は電池収納部の１つに収納配置される。
【００１８】
電池収納部の配置は、電池セル２の配置関係に対応して、千鳥型の配置関係とされる。すなわち、幅方向Ｗに３列の電池収納部が配置され、それぞれの電池収納部列は、長さ方向Ｌに沿って、７個、６個、７個の電池収納部を有する。かかる電池セルケース３としては、アルミニウムを主材料として、押出成形によって所定の形状としたものを用いることができる。
【００１９】
電池セルケース３において、２０個の電池セル２は、電池収納部に収納配置される際に、電池セル２の各正極側が一方側に揃えられ、各負極側が他方側に揃えられる。図５では、一方側は高さ方向Ｈに沿って紙面の上方側で、他方側は高さ方向Ｈに沿って紙面の下方側である。
【００２０】
正極側集電部４は、電池セルケース３の一方側の開口を塞ぐように配置されて、整列配置された電池セル２の正極側をそれぞれ電気的に接続する接続部材である。正極側集電部４は、正極側絶縁板１０、正極集電体１１、正極板１２で構成される。
【００２１】
正極側絶縁板１０は、電池セルケース３と正極集電体１１、正極板１２との間に配置され、これらの間を電気的に絶縁する板材である。正極側絶縁板１０には、電池セル２の正極電極を突き出させる２０個の円形等の開口が設けられる。かかる正極側絶縁板１０としては、所定の耐熱性と電気絶縁性とを有するプラスチック成型品またはプラスチックシートを所定の形状に加工したものが用いられる。
【００２２】
正極集電体１１は、電池セル２の正極電極にそれぞれ個別に接触する位置関係で配置される２０個の電極接触部を有する薄板である。かかる正極集電体１１としては、電気的導電性を有する金属薄板について、エッチングまたはプレス加工等によって、周囲に略Ｃ字状の切欠部が形成された所定形状の電極接触部を形成したものを用いることができる。
【００２３】
正極板１２は、正極集電体１１と電気的に接続され、２０個の電極接触部を相互接続して１つの正極側出力端子とする電極板である。かかる正極板１２としては、電気的導電性を有し、適当な厚さと強度を有する金属薄板を用いることができる。正極板１２としては、金属薄板についてエッチングまたはプレス加工等で、円形等の開口が形成された所定形状の電極接触部を形成したものを用いることができる。
【００２４】
負極側集電部５は、電池セルケース３の他方側の開口に配置され、整列配置された電池セル２の負極側をそれぞれ電気的に接続する接続部材である。負極側集電部５は、負極側絶縁板１６、負極集電体１７、負極板１８で構成される。
【００２５】
負極側絶縁板１６は、電池セルケース３と負極集電体１７、負極板１８との間に配置され、これらの間を電気的に絶縁する板材である。負極側絶縁板１６には、電池セル２の負極電極を露出させる２０個の円形等の開口が設けられる。かかる負極側絶縁板１６としては、所定の耐熱性と電気絶縁性とを有するプラスチック成型品またはプラスチックシートを所定の形状に加工したものが用いられる。
【００２６】
負極集電体１７は、電池セル２の負極電極にそれぞれ個別に接触する位置関係で配置される２０個の電極接触部を有する電極部材である。かかる負極集電体１７としては、電気的導電性を有する金属薄板について、エッチングまたはプレス加工等によって、所定の形状の電極接触部を形成したものを用いることができる。また、負極集電体１７の電極接触部には、電池セル２に過電流が流れることで予め定めた閾値温度を超えるときに溶断する電流遮断素子を設けてもよい。
【００２７】
負極板１８は、負極集電体１７と電気的に接続され、２０個の電極接触部のそれぞれを相互接続して1つの負極側出力端子とする電極板である。かかる負極板１８としては、電気的導電性を有し、適当な厚さと強度を有する金属薄板を、エッチングまたはプレス加工等で、円形等の開口が形成された所定形状の電極接触部を形成したものを用いることができる。
【００２８】
ホルダ６，７は、電池セルケース３の一方側に配置される正極側集電部４と他方側に配置される負極側集電部５を、例えばボルト等の締結部材を用いて締結し、電池セルケース３、正極側集電部４、負極側集電部５と共に、全体として一体化するための部材で、絶縁材料で構成される。
【００２９】
上記のような構成を有する電池ブロック１を２つ準備して横並びで配置し、一方側の電池ブロック１の正極板１２の先端部と、他方側の電池ブロック１の負極板１８の先端部とを、溶接等の接続固定方法で互いに電気的および機械的に接続する。これにより電池モジュール２２が構成される。
【００３０】
図５に示すように、電池モジュール２２は、上方に開口する例えば樹脂製のケース部材１５に収容されている。また、電池モジュール２２の上部はカバー部材８，９によって覆われている。カバー部材８，９の内側には、空間からなるダクト室１４が形成されている。ダクト室１４は、安全弁１３が設けられた電池セル２の正極端子に開口および切欠部を介して臨んでいる。これにより、電池セル２の安全弁１３が作動したとき、電池セル２から噴出したガスはダクト室１４に流れ出るように構成されている。
【００３１】
カバー部材８は、カバー部材９の内側に配置されている。カバー部材８は、例えば比較的耐熱性が高い金属材料によって形成されている。これにより、電池セル２から噴出した高温（例えば４００℃程度）のガスに晒されても変形および溶融しないように構成されている。一方、カバー部材９は、カバー部材８の外側を覆って配置されている。カバー部材９は、比較的耐熱性が低い例えば樹脂材料によって形成されている。
【００３２】
カバー部材８，９は、例えばボルト、ねじ、リベット等の適当な締結手段によって、電池モジュール２２に含まれる電池ブロック１の電池セルケース３の上面に固定されている。これにより、電池セル２から噴出したガスが電池モジュール２２とカバー部材８，９との間から漏れ出ないようにしている。
【００３３】
図１ないし図３を参照すると、電池モジュール２２の上部を覆ってダクト室１４を形成するカバー部材８は、１つの電池モジュール２２について２つに分かれており、長さ方向Ｌに関して電池モジュール２２の両端部側に配置されている。これに対し、カバー部材８の外側を覆って設けられるカバー部材９は、１つの電池モジュール２２に対して１つの部材として形成されているが、長さ方向Ｌの中央上部に開口部が形成されるとともに連結リブ９ａが略矩形状に切り欠かれて細く形成された部分を有している。
【００３４】
このようにカバー部材８，９が形成されることで電池ユニット２０の各電池モジュール２２の上部に組み付けられたとき、電池ユニット２０の長さ方向Ｌの中央部には各電池モジュール２２のダクト室１４に連通するとともに電池ユニット２０の幅方向Ｗにわって延びる空間からなる集合ダクト部３０が形成されることになる。
【００３５】
なお、上記においてはダクト室１４を形成するために２つのカバー部材８，９を電池モジュール２２の上部に配置するとして説明したが、これに限定されるものではない。例えば、内側のカバー部材８を省略するとともに、外側のカバー部材９を比較的耐熱性の高い金属材料で形成してもよい。
【００３６】
固定部材２４は、図３に示すように、電池ユニット２０をモジュールケース５０の壁部に固定する機能、および、電池ユニット２０の電池セル２から発生したガスをモジュールケース５０の外部に放出する排気機能を有する。また、固定部材２４は、電池ユニット２０を構成する各電池モジュール２２に跨ってボルト等により固定されているため、各電池モジュール２２を一体的に組み合わせた状態で拘束および固定する機能を有している。
【００３７】
固定部材２４は、電池ユニット２０の集合ダクト部３０の上方を覆って設けられる平板部２５と、平板部２５の上面に突出してそれぞれ立設される排気ダクト部３２、第１取付部３６および第２取付部４０を備える。また、固定部材２４は、伝熱性が良好な材料である金属板によって形成されている。ただし、これに限定されるものではなく、固定部材２４は、例えばシリカ、金属粉等のフィラーを混入することで伝熱性を改善した樹脂材料によって形成されてもよい。
【００３８】
固定部材２４は、各電池モジュール２２のカバー部材９にそれぞれ形成された開口部を覆うようにして、複数（本実施形態では５つ）の電池モジュール２２に跨って連結されている。具体的には、固定部材２４の平板部２５は、例えば、ボルト、ねじ、リベット等の適当な締結手段によって、電池モジュール２２に含まれる電池ブロック１の電池セルケース３に固定されている。これにより、集合ダクト部３０が閉じられ、各電池モジュール２２に含まれる電池セル２から噴出したガスがダクト室１４を介して流入する集合ダクトとして機能する。この意味において、固定部材２４は集合ダクト形成部材ともいえる。なお、集合ダクト部３０から長さ方向Ｌの両側に分岐して連通する各電池モジュール２２のダクト室１４を形成するカバー部材８，９は、分岐ダクト形成部材であるともいえる。
【００３９】
固定部材２４の排気ダクト部３２は、その内部にガス流路となる空間を有する。排気ダクト部３２の先端には、フランジ部３４が設けられている。このフランジ部３４には図示しない貫通孔（または雌ねじ孔）が複数形成されている。これらの貫通孔に挿通されるボルト等によってフランジ部３４がモジュールケース５０の上壁５２に締結されることにより、固定部材２４がモジュールケース５０に固定される。その結果、電池ユニット２０が固定部材２４を介してモジュールケース５０に対して固定される。なお、排気ダクト部３２のフランジ部３４が、本発明における「排気ダクトを含む取付部」に相当する。
【００４０】
また、固定部材２４の第１および第２取付部３６，４０は、上端部が水平方向に沿って折り曲げられた取付座部３７，４１を有している。これらの取付座部３７，４１には、図示しない貫通孔（または雌ねじ孔）が形成されている。そして、これらの貫通孔にボルト等が挿通されて締め付けられることにより、固定部材２４がモジュールケース５０の上壁５２に固定される。その結果、電池ユニット２０が固定部材２４を介してモジュールケース５０に固定される。なお、第１取付部３６および第２取付部４０が、本発明における「排気ダクトを含まない取付部」に相当する。
【００４１】
固定部材２４において、第１取付部３６と第２取付部４０とは所定の距離だけ離れて設けられている。ここで「所定の距離」は電装部品収納ケース２６を固定できるだけの距離であればよく、具体的には電装部品収納ケース２６の幅方向Ｗの長さよりも少し長い距離であれば足りる。また、第１取付部３６および第２取付部４０には、互いに対向する側面上で固定部材２４の平板部２５の上方に少し離れた位置に取付座部３８，４２がそれぞれ溶接等によって固定されている。そして、これらの取付座部３８，４２には、電装部品収納ケース２６がねじ留め等の方法によって取り付けられている。
【００４２】
電装部品収納ケース２６には、電池ユニット２０構成する電池モジュール２２に含まれる電池セル２の充放電を制御するための回路基板や、電池モジュール２２の図示しない出力端子側に接続されるコンダクタを内蔵するジャンクションボックスなど含まれる。図３に示すように、電装部品収納ケース２６は、隙間２７を介して固定部材２４の平板部に配置されている。このように配置することで、固定部材２４の熱が電装部品収納ケース２６に伝わるのを抑制して、内部の電装部品が熱的損傷を受けないようにしている。
【００４３】
図３に示すように、モジュールケース５０の上壁５２には、排気ダクト部３２の接続位置に排気口５３が形成されている。そして、排気口５３には、電池ユニット２０が搭載される装置である例えば電動車両側の排気ダクト５４が連結されている。これにより、電池ユニット２０から排気ダクト部３２を介して排出されたガスが車両外部へと放出されるように構成されている。
【００４４】
また、モジュールケース５０内において電池ユニット２０は、モジュールケース５０の底壁５６に設置したブラケット５８によって固定および支持されている。これにより、モジュールケース５０における電池ユニット２０の固定状態がより安定したものになる。
【００４５】
ブラケット５８は、例えば樹脂等の絶縁性材料によって形成されている。これにより、モジュールケース５０が例えば金属板等の導電性材料によって形成される場合に、電池ユニット２０とモジュールケース５０との間での絶縁性を確保することができる。ただし、これに限定されるものではなく、ブラケット５８は、金属製の部材として形成されてもよい。また、電池ユニット２０を固定部材２４の排気ダクト部３２、第１取付部３６および第２取付部４０によって吊り下げた状態で固定および支持する場合、ブラケット５８を省略してもよい。
【００４６】
次に、図６を参照して、上記のような構成を有する電池ユニット２０の排気動作等について説明する。図６は、電池ユニット２０のダクト室１４および集合ダクト部３０におけるガスの流れを示す電池ユニット２０の概略的な平面図である。図６においては、電装部品収納ケース２６の図示が省略されている。
【００４７】
図６に示すように、電池モジュール２２に含まれる電池ブロック１の電池セル２に設けられている安全弁１３が作動すると、電池セル２からガスがダクト室１４に噴出する。各電池モジュール２２の両端側において各ダクト室１４はカバー部材８，９によって閉じられているため、ダクト室１４に噴出したガスは、電池ユニット２０の長さ方向Ｌの中央に位置する集合ダクト部３０へと流れる。そして、ガスは、集合ダクト部３０を幅方向Ｗに流れて排気ダクト部３２からユニット外部に排出され、車両側の排気ダクト５４から車外に放出される。
【００４８】
上述したように本実施形態の電池ユニット２０によれば、複数の電池モジュール２２を備える電池ユニット２０をモジュールケース５０の上壁５２に固定する固定部材２４に、複数の電池モジュール２２の固定機能と電池セルから噴出したガスの排気機能とを持たせていることで、これらの機能を別々の構造体で実現する場合に比べて、電池ユニット２０を小型にすることができる。その結果、搭載スペースが限られる車両に搭載されたときの省スペース化を図れる。
【００４９】
また、本実施形態の電池ユニット２０では、固定部材２４の排気ダクト部３２の端部にフランジ部３４を設けてモジュールケース５０の上壁５２に固定したことで、排気ダクトの固定と電池ユニット２０の固定とを同時に行うことができ、組み付け作業が容易となる利点がある。
【００５０】
また、本実施形態の電池ユニット２０では、固定部材２４が伝熱性の良好な金属板によって形成され、電池モジュール２２で生じた熱を固定部材２４の排気ダクト部３２、第１取付部３６および第２取付部４０を介してモジュールケース５０に放熱する機能を有する。このため、電池モジュール２２の温度上昇を抑えることができ、温度上昇による電池セル２の性能変動を低減することができる。
【００５１】
また、本実施形態の電池ユニット２０では、固定部材２４を構成する平板部２５が伝熱性の良好な金属板によって形成されるとともに電池ユニット２０を構成する複数の電池モジュール２２に跨って連結されていることから、各電池モジュール間での温度差を均す均熱作用を有している。これにより、温度差による電池モジュール２２間の性能格差を是正または緩和することができる。
【００５２】
さらに、本実施形態の電池ユニット２０では、電池ユニット２０の充放電を制御するための電装部品を収納した電装部品収納ケース２６が固定部材２４に取り付けられている。これにより、専用の取付部品を必要とせずに、電池ユニット２０に電装部品ケースを容易に取り付けることができる。また、電装部品収納ケース２６は、隙間２７を介して固定部材２４の平板部２５から熱的に分離されていることから、固定部材２４の熱が電装部品収納ケース２６に伝わって内部の電装部品が熱的損傷を受けるのを抑制できる。
【００５３】
なお、本発明に係る電池ユニットは、上述した実施形態の構成に限定されるものではなく、特許請求の範囲に記載された事項およびその均等な範囲内で種々の変更や改良が可能である。
【００５４】
上記実施形態においては、固定部材２４の排気ダクト部３２をモジュールケース５０の上壁５２に連結するとして説明したが、これに限定されるものではない。例えば、排気ダクト部３２を固定部材２４から幅方向Ｗに延伸させてモジュールケース５０の側壁から外部に排気するようにしてもよい。あるいは、集合ダクト部３０を電池ユニット２０の側面から下方に延伸させて排気ダクト部３２をモジュールケース５０の底壁５６に連結して排気方向を下方に向けてもよい。
【００５５】
また、図７に示すように、電池ユニット２０Ａ，２０Ｂを上下に積み重ねて設置する場合、各電池ユニット２０Ａ，２０Ｂの集合ダクト部３０を幅方向Ｗの端部でそれぞれ開口させ、これらの開口部３１を接続部材６０で連通させる構成としてもよい。これにより、下段の電池ユニット２０Ｂの集合ダクト部３０から排出されたガスを上段の電池ユニット２０Ａに導いて排気ダクト部３２から排気することができる。
【００５６】
さらに、固定部材２４の排気ダクト部３２のダクト出口近傍に、所定温度（例えば約１００℃等）で溶断する温度ヒューズを設けて、電池ユニット２０において電池セル２からガスが噴出したことを検知してもよい。
【符号の説明】
【００５７】
１  電池ブロック、２  電池セル、３  電池セルケース、４  正極側集電部、５  負極側集電部、６，７  ホルダ、８，９  カバー部材、９ａ  連結リブ、１０  正極側絶縁板、１１  正極集電体、１２  正極板、１３  安全弁、１４  ダクト室、１５  ケース部材、１６  負極側絶縁板、１７  負極集電体、１８  負極板、２０，２０Ａ，２０Ｂ  電池ユニット、２２  電池モジュール、２４  固定部材、２５  平板部、２６  電装部品収納ケース、２７  隙間、３０  集合ダクト部、３１  開口部、３２  排気ダクト部、３４  フランジ部、３６  第１取付部、４０  第２取付部、３７，３８，４１，４２  取付座部、５０  モジュールケース、５２  上壁、５３  排気口、５４  （車両側の）排気ダクト、５６  底壁、５８  ブラケット、６０  接続部材、Ｈ  高さ方向、Ｌ  長さ方向、Ｗ  幅方向。
【図１】
2015019559.tif 000003
【図２】
2015019559.tif 000004
【図３】
2015019559.tif 000005
【図４】
2015019559.tif 000006
【図５】
2015019559.tif 000007
【図６】
2015019559.tif 000008
【図７】
2015019559.tif 000009
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
互いに並列接続された複数の電池セルをそれぞれ含み、各々電池セルから噴出したガスを排気するダクト室をそれぞれ有する複数の電池モジュールと、
前記複数の電池モジュールを一体的に組み合わせた状態で収納ケースの壁部に固定する固定部材と、を備える電池ユニットであって、
前記固定部材は前記収納ケースに取り付けられる第１取付部を有し、該第１取付部は各電池モジュールのダクト室に噴出したガスを集合させて排気するための排気ダクトを含む、
電池ユニット。
【請求項２】
請求項１に記載の電池ユニットにおいて、
前記排気ダクトを含む前記第１取付部は、ダクト出口が形成される先端部にフランジ部を有しており、該フランジ部が前記収納ケースの壁部に取り付けられる、電池ユニット。
【請求項３】
請求項１または２に記載の電池ユニットにおいて、
前記固定部材は前記電池ユニットを前記収納ケースに固定するための第２取付部を更に有し、前記固定部材は金属板で形成されている、電池ユニット。
【請求項４】
請求項１〜３のいずれか一項に記載の電池ユニットにおいて、
前記ダクト室は開口部を有しており、前記固定部材は前記開口部を覆うように前記複数の電池モジュールに跨って連結されている、電池ユニット。
【請求項５】
請求項１〜４のいずれか一項に記載の電池ユニットにおいて、
前記電池モジュールに含まれる前記電池セルの充放電を制御するための電装部品を収納した電装部品収納ケースが前記固定部材の上に隙間を介して固定されることを特徴とする、電池ユニット。
【国際調査報告】
2015019559.tif 000010
2015019559.tif 000011
2015019559.tif 000012
2015019559.tif 000013